(57)【要約】【課題】  光源が直接見えることがなく、且つ光源への電気配線が外部から見えない意匠性の良い照明具を提供することを目的とする。【解決手段】  本体部２と本体部２に着脱自在に取り付けられるカバー材３と、間隔保持具４を備え、間隔保持具４は、左右方向に間隔を空けて複数配置され、本体部２を被取付面１１に対して前後方向に間隔を空けて固定するものであり、本体部２は、被取付面１１に光を照射して間接光５２を生成する光源５の保持部２６を有しており、本体部２とカバー材３に囲まれた配線空間Ｓが形成されている。【選択図】      図１
2020205188.tif 000002
【特許請求の範囲】
【請求項１】
本体部と、本体部に着脱自在に取り付けられるカバー材と、間隔保持具を備え、
間隔保持具は、左右方向に間隔を空けて複数配置され、本体部を被取付面に対して前後方向に間隔を空けて固定するものであり、
本体部は、被取付面に光を照射して間接光を生成する光源の保持部を有しており、
本体部とカバー材に囲まれた配線空間が形成されていることを特徴とする照明具。
【発明の詳細な説明】
【技術分野】
【０００１】
本発明は、照明具に関する。
【背景技術】
【０００２】
従来の柱や壁体などの建材に取り付ける照明具では、照明具を見る方向によっては光源が直接見えてしまう場合があり、眩しく感じることがあった。また、光源に繋がれた電気配線が外部に露出する場合もあり、意匠性が悪かった。
【先行技術文献】
【非特許文献】
【０００３】
【非特許文献１】「エクステリア建材総合カタログ2018-2019（STX1175A）」三協立山株式会社、2018年2月、p.56
【発明の概要】
【発明が解決しようとする課題】
【０００４】
本発明は上記課題に鑑み、光源が直接見えることがなく、且つ光源への電気配線が外部から見えない意匠性の良い照明具を提供することを目的とする。
【課題を解決するための手段】
【０００５】
本発明の照明具は、本体部と、本体部に着脱自在に取り付けられるカバー材と、間隔保持具を備え、間隔保持具は、左右方向に間隔を空けて複数配置され、本体部を被取付面に対して前後方向に間隔を空けて固定するものであり、本体部は、被取付面に光を照射して間接光を生成する光源の保持部を有しており、本体部とカバー材に囲まれた配線空間が形成されていることを特徴とする。
【発明の効果】
【０００６】
本発明の照明具によれば、間隔保持具は左右方向に間隔を空けて複数配置され、本体部を被取付面に対して前後方向に間隔を空けて固定するものであり、本体部は被取付面に光を照射して間接光を生成する光源の保持部を有しているので、照明具の外部から光源が見えることがなく、眩しく感じることがない。また、光源に接続された電気配線を、本体部とカバー材に囲まれた配線空間内に収納することができるため、電気配線が外部に露出することが無く、意匠性に優れる。さらに、照明具を被取付面に取り付ける際は、本体部に光源を取り付けたのちに、本体部を被取付面に取り付け、光源への電気配線を行った後に本体部にカバー材を取り付ければよく、電気配線は配線空間内に隠蔽されるので、例えば電気配線を結束したり他部材に固定したりする等の複雑な手順がなく施工が容易である。
【図面の簡単な説明】
【０００７】
【図１】図３のI−I線断面図である。
【図２】照明具が取り付けられた壁体の正面図である。
【図３】図２のIIIの、（ａ）は平面図、（ｂ）は正面図である。
【発明を実施するための形態】
【０００８】
以下、本発明の実施の形態を図面に基づいて説明する。以下の好ましい実施形態の説明は例示に過ぎず、本発明、その適用物あるいはその用途を制限することを意図するものではない。
【０００９】
本発明の実施形態として、照明具Ｌ１，Ｌ２を壁体Ｗに取り付けた場合を図１乃至図３に示す。なお、以下の説明において前後とは図２の紙面に対して手前側及び奥側とし、左右方向とは図２の左右方向を指すものとする。
【００１０】
壁体Ｗは、図２に示すように地面Ｇに立設されていて、その前面である壁面（被取付面）１１には２本の略直方体状の照明具Ｌ１，Ｌ２がそれぞれ水平方向、鉛直方向に取り付けられている。なお、これら２本の照明具Ｌ１，Ｌ２の構造は同一であって、取り付けられている向きが異なるだけである。以下の説明では、壁面１１に水平方向に取り付けられている照明具Ｌ１について述べる。
【００１１】
照明具Ｌ１は、図１乃至図３に示すように、左右方向に間隔を空けて設けられた間隔保持具４，４を介して壁面１１にネジ止めされた本体部２と、本体部２を前側から覆うカバー材３と、本体部２の光源保持部２６に対して照明具Ｌ１の長手方向に沿って取り付けられた照明（光源）５と、照明具Ｌ１の左右両端部に取り付けられた小口キャップ１２，１２から構成されている。間隔保持具４，４は、本体部２を壁面１１に対して前後方向に間隔を空けて固定するためのものであり、円筒状である。照明５は、ＬＥＤ素子５１，…，５１を、照明５の長手方向に等間隔で複数有している。
【００１２】
本体部２は、照明具Ｌ１の長手方向に亘って設けられ、断面略コ字状である。本体部２は、上見込壁２２と、下見込壁２３と、上見込壁２２の中間部から垂下した見付壁２４と、壁面１１に間隔保持具４を介してネジ止めされている固定部２１と、見付壁２４と固定部２１とを連結している見込壁２５から構成されている。上見込壁２２は、上面が壁面１１側へ下方傾斜していて、前端部にカバー材３と弾性係合する係合部２２ａを有している。また、上見込壁２２の後端には、垂下片２２ｂが設けられている。垂下片２２ｂの下端は、照明５の後面上端よりもやや下側に位置している。下見込壁２３は、下面が壁面１１側へ上方傾斜していて、前端部にカバー材３と弾性係合する係合部２３ａを有している。また、下見込壁２３の後端は、固定部２１の下端と連結されている。固定部２１は、壁面１１に平行となるよう設けられていて、座金１３と間隔保持具４を介して壁面１１にネジ止めされている。固定部２１の上端部と見付壁２４の下端部は、見込壁２５によって水平に連結されている。
【００１３】
光源保持部２６は、照明５による照射光が、後側の開口部２６ａから後方へ照射されるように、照明５を前側から包み込むようにして保持するためのものである。光源保持部２６は、本体部２の見付壁２４と、見込壁２５と、垂下片２２ｂを含む上見込壁２２後部により構成されている。照明５は、見付壁２４の後面に両面テープで接着固定されている。見込壁２５の上面は平面であり、かつ、固定部２１の上端は見込壁２５の下側に連結されている。言い換えると、光源保持部２６は、底部内面、すなわち見込壁２５の上面に立ち上がり部を有していない。また、座金１３の左右方向の寸法は、図３（ｂ）に示すように間隔保持部４の径よりもやや大きい程度である。つまり、光源保持部２６の後側面には、雨水等が溜まるような、本体部２の長手方向全てに亘る立ち上がり部は存在していない。また、照明５から後方へと照射された光は、壁面１１に反射し、間接光５２となって前側上方及び下方を照らす。このとき照明５は、照明具Ｌ１の外部から見えない。
【００１４】
カバー材３は、照明具Ｌ１の長手方向に亘って本体部２を覆うものであって、略平板状であり、壁面１１と平行に配置されている。カバー材３は、後面の上部及び下部に、本体部２の係合部２２ａ及び２３ａにそれぞれ弾性係合する被係合部３１及び３２を有する。すなわち、カバー材３は本体部２に対し、本体部２の前側において係合している。
【００１５】
本体部２の上見込壁２２，下見込壁２３，見付壁２４，見込壁２５及び固定部２１と、カバー材３とによって囲まれた空間は、配線空間Ｓとして用いられる。配線空間Ｓは照明具Ｌ１の長手方向に亘って連続した空間であり、照明５に接続された電気配線Ｅが収納されている。
【００１６】
照明具Ｌ１を壁面１１に取り付ける際には、本体部２に照明５を取り付けたのちに、本体部２を壁面１１に取り付け、照明５への電気配線を行った後に本体部２にカバー材３を係合させて取り付ければよい。このとき、電気配線Ｅは配線空間Ｓ内に隠蔽されるので、電気配線Ｅを結束したり他部材に固定したりする必要がない。なお、配線空間Ｓの長手方向両端部は小口キャップ１２，１２で塞がれているので、配線空間Ｓの内部に雨水等が浸入することはない。
【００１７】
次に、このように構成した本発明の照明具Ｌ１による作用効果について述べる。間隔保持具４は左右方向に間隔を空けて複数配置され、本体部２を壁面１１に対して前後方向に間隔を空けて固定するものであり、本体部２は、壁面１１に光を照射して間接光５２を生成する光源保持部２６を有しているので、照明具Ｌ１の外部から照明５が見えることがなく、眩しく感じることがない。
【００１８】
また、照明具Ｌ１は、本体部２とカバー材３に囲まれた配線空間Ｓ内に、照明５に接続された電気配線Ｅを収納することができるため、電気配線Ｅが外部に露出することが無く、意匠性に優れる。
【００１９】
そして、照明具Ｌ１は、固定部２１を壁面１１に固定するネジの頭部が配線空間Ｓ内に位置しているため照明具Ｌ１の外部から見えず、意匠性に優れる。
【００２０】
さらに、照明具Ｌ１を壁面１１に取り付ける際は、本体部２に照明５を取り付けたのちに、本体部２を壁面１１に取り付け、照明５への電気配線作業を行った後に本体部２にカバー材３を係合させて取り付ければよく、電気配線Ｅは配線空間Ｓ内に隠蔽されるので、例えば電気配線Ｅを結束したり他部材に固定したりする等の複雑な手順がなく施工が容易である。
【００２１】
また、本体部２の上見込壁２２の上面が壁面１１側へ下方傾斜しているとともに下見込壁２３の下面が壁面１１側へ上方傾斜している、つまり本体部２の上下面が、壁面１１側へと照明具Ｌ１の上下幅が狭まる方向に傾斜していることで、照明具Ｌ１の上下幅が細く見え、さらに、雨水等が照明具Ｌ１の前側の目立つ部分に流れることがなく汚れにくいため、意匠性に優れる。
【００２２】
そして、カバー材３は本体部２に対し、本体部２の前側において係合しているので、係合箇所から照明具Ｌ１の内部に雨水等が浸入しにくく、また、メンテナンスも容易に行える。
【００２３】
さらに、光源保持部２６は、底部内面、すなわち見込壁２５の上面に立ち上がり部を有しておらず、言い換えれば、光源保持部２６の後側面には、本体部２の長手方向全てに亘る立ち上がり部が存在していないため、光源保持部２６の内部に雨水等が溜まりにくい。
【００２４】
本発明は、上記の実施形態に限定されない。例えば、本発明は壁体に限らず、門扉やカーポートの梁等、様々な建材や構造物に適用可能である。
【符号の説明】
【００２５】
Ｌ１，Ｌ２    照明具
１１    壁面（被取付面）
２      本体部
３      カバー材
４      間隔保持具
５      照明（光源）
５２    間接光
Ｓ      配線空間
【図１】
2020205188.tif 000003
【図２】
2020205188.tif 000004
【図３】
2020205188.tif 000005